(57)【特許請求の範囲】
【請求項１】
豚糞８０重量％と牛糞１５重量％と石灰性海藻５重量％を混合したものに光合成菌で発酵することを特徴とする高カルシウム作物用土壌改良剤の製造法。
【発明の詳細な説明】
【０００１】
［産業上の利用分野］
本発明はカルシウム含有量が高くて弱アルカリ性の作物を作るための土壌改良剤に関するものである。
【０００２】
［従来の技術］
わが国はもともと火山国であり、そのため国土の大部分が火山灰で酸性土壌である、このため、わが国における植物や作物はカルシウム分が少なく、従ってそれを食べている日本人はカルシウム分が不足し、ただでさえ、日常活動による生活で酸性になりがちな血液が一層酸性に傾くようになる、これは免疫力の低下などを引き起こし体液が酸性になることの弊害は各方面から指摘されている。
一般にカルシウム含量の多い強アルカリ土壌で作物をつくればカルシウムを多く含んだ高カルシウム作物が収穫できると考えられている。しかし実際にはあまり関係ないことが証明されている。今日の農法ではカルシウムの多い強アルカリ土壌では作物が育たず、土壌を直接酸で中和するか、他の有機酸土と混合することによりアルカリ度を弱めて来た。しかし、作物が育つ程度に中和すると吸収するカルシウム分も少なくなる上  有機酸の取り扱いも面倒で費用もかかり、他の土と混合する場合にはこれらを大量に運搬した後、充分に混合しなければならず、これも費用のかかる欠点がある。
【０００３】
［発明が解決しようとする課題］
上記の方法にはさらなる欠点がある、まず最適といわれる黒ぼく土壌は地域によっては山地、丘陵地から多量にまた容易に採取でき、腐植や腐植酸に富んだ土壌であって保水性がよく本質的には培土としては好適であるが、他成分との混合による性状改善を必要とする。また、このものは、一般に３０〜４０％の水分を含有しているために一旦乾燥しない限り他の成分と混合しようとすると団塊を形成して均一配合物が得られなかったり、混合操作の中断を余儀なくされたりする、そのため粒状培土の製造方として原料土壌に結合剤として水蒸気を添加して造粒したのち、粉じんが発生しないような水分状態まで乾燥して製品とする方法がとられている。
しかしながら、このようにして製造した粒状培土は粒内土壌の結合状態が弱くて施用時のかん水により容易に崩壊し、その結果土壌が締って盤状になり保水性、透水性が悪化するだけでなく、せっかく発芽して伸長した根が土壌に侵入せず、いわゆる根上がり現象を起こすことがある。
度範囲にあることであり、これら全部を満足させることは困難で、これまで多く発表されている考案は粒度を合わせて造粒すること、軽量多孔性物質を配合することであった。
また自然条件のもとで存在する土壌は、これが団粒組織であっても、団粒の結合力及び形態は一定しておらず、一定粒径以下の粒子を篩分けして得たとしても団粒の粒子が壊れ易く、形状が一定せず団粒粒子から分離したり又は団粒粒子とは別個独立したシルトなどが存在し易く、これが培土土壌としての条件を一定させ難くさらに栽培作業には特別の工夫が必要である、従来から植物用培土として粒状培土を用いることが、実用化されている。その際水分は不可欠のものでありその補給や維持の良否は栽培結果にきわめて大きな影響を及ぼして来た。
【０００４】
［課題を解決するための手段］
本発明は豚糞と牛糞を主原料にしてこれに石灰性海藻を配合してｐＨを調整し、光合成菌で発酵させる新規な高カルシウム作物用土壌改良剤であり、生産された作物のカルシウム類の含有量は著しく高い、それに供ってｐＨの値は通常より高くなっている本発明の栽培方法によれば得られるキュウリのミネラル含有量は通常のものの１．５〜２．０倍に達する。
この高ミネラル作物は通根性物質を介し、本発明土壌改良剤により側周または下面を包囲された普通土壌中でも栽培により得ることができる。
本発明で用いる石灰性海藻は、学名リゾサミニオン・カルカリューム（Ｌｉｔｈｏｔｈａｍｉｎｉｏｎ  Ｃａｌｃａｒｅｕｍ）と称する紅藻の一種で石灰藻とも呼ばれている、多孔質で一見硬いサンゴの砂のような形で生育してカルシウム、マグネシウムをはじめとして多くのミネラルを含んでいる主産地はイギリスやノルウェー沿岸で次表のような成分を含んでいる。
0003766898.tif 000002
即ち本発明は豚糞８０部と牛糞１５部に対して５部の石灰性海藻を混合し、適当な光合成菌を加えて培養することを特徴とする土壌改良剤の製造法である。
【０００５】
［作用］
本発明で発酵させるための菌は、主に光合成菌でその生育範囲は４０〜６０℃、棹状を呈し胞子を生産する、これらの菌は公知であって菌学的諸性質は一般の学術書に記載されている通りである、本発明で用いるには顆粒状の豚糞と牛糞に石灰性海藻粉末を混合した後、これに光合成菌を接種、培養する、本発明実施の結果、得られた製品中の本菌は培養物が６０℃の高温になっても殆ど死滅せず、次の仕込みの原料に対する接種物として受け継がれ、連続的に使用され得ると共に高温下に培養された結果として培養物を乾燥状の最終製品として提供することを可能にする。
各成分の配合割合は作物の種類、気候、土壌によっても異なるが、一般的には豚糞８０部牛糞１５部に対して、石灰性海藻５部である、ここで石灰海藻が上記範囲外であれば混合物の性状が作物に不適当なものになる。多すぎるとアルカリ性が強くなったり、混合時に団塊が形成されて均一な混合が難しくなる。少なすぎると培土の通気性、通水性が損なわれる。
産されこれが根毛を通じて植物に取り入れられると考えられる、この物質の構造は明らかではないが、類似のキレート物質は既に公知である、即ち植物に鉄分を取り入れる物質として、ムギネ酸と名付けられたキレート体が発表されている（Ｓｔｒｕｃｔ  Ｂｏｎｄｉｎｇ，５８，１０７，（１９８４））これは稲が鉄欠乏を起こして鉄性黄変病にかかるのを妨ぐものとして有望視されている。
【０００６】
［実施例］
顆粒状の豚糞８０部顆粒状の牛糞１５部に粉末状の石灰性海藻５部を計量し、これらを配合機を用いて混合した、これに光合成菌を接種混合し常法に従って処理した、その結果得られた製品中の本菌は実施中に製品が６０℃の高温になっても、殆ど死滅せず、次の仕込みの原料に対する接種物として受け継がれ、連続的に使用され得ると共に高温下に培養された結果として培養物を乾燥状の最終製品として提供することを可能にする。
発酵により原料は分解され大塊は細粉化する、このようにして得られた製品は水分３０％以下となることが多く、手のひらに付着することなく、サラサラした感じを与える、従って肥料製品に対する崩壊機使用の必要はない。
【０００７】
［発明の効果］
本発明による有機肥料製品の肥料効果は優秀でホウレン草の場合無機肥料施用の場合に比して３〜４割の増収をあげる、また、本発明による製品を３年間使用することにより農薬使用の必要性はなく有害菌が付着しても繁殖を阻止する特徴がある。
次に常法に従ってホウレン草を通常の土壌と本発明品を１ヘクタールに２０ｋｇを２回施用した場合の作物中のカルシウム分とｐＨを比較したところ次の如くになった
0003766898.tif 000003
上の表に示すように本発明品によりホウレン草の栽培では、その中のカルシウム分は対照試験に比べて約１．２倍含まれ、ＰＨもはるかに高いかくして国民の栄養上必要とされていたカルシウム等のミネラルを含む作物を得ることができた。
本発明の広汎な精神と視野を逸脱することなく、本発明の種々な変更で修整を為し得ることは勿論である。
【０００８】
［実施例］
前実施例で示した如く製造した本発明品の物性は次の如くである。
0003766898.tif 000004
また、本発明品の成分分析は次の通りである
0003766898.tif 000005
次に本発明品によるコマツナの育苗試験は次の通りである
0003766898.tif 000006
苗の生育状況を次に示す
0003766898.tif 000007
次にコマツナにつきｐＨとカルシウム分を標準品と比較した結果を示す
0003766898.tif 000008
次にいちごにつき当土壌改良剤を堆積土に加えたものにつき栽培実験した
0003766898.tif 000009
結果は次の通りであった
0003766898.tif 000010
結果として次のように言える
１．苗床土２，３，４いずれも収量が増加した
２．さらにＬが多く品質が良くなった
３．いずれにおいても結実が早くなった
４．収量は３において著しく向上した
５．糖度は２において向上が見られた
６．いずれも根張りが良くなった
７．１においては果実のツヤが良くなった
以上の結果から本発明による土壌改良剤は高カルシウム及びｐＨを上昇させ弱アルカリ作物を生育する作用のあることが判明した。